(57)【要約】【課題】産業廃棄物処理場の工事、雨水貯留・浸透システム又は、湖、沼、河川、港湾の法面水底等に敷設するため吸出防止用マットとして肉厚の不織布が使用されている。この肉厚の不織布を広範囲に敷設するため、切断されたマットを重ね合わせて一体化するように固定する必要がある。現在の固定技術として不織布の表面の繊維を溶かし、上下二枚の端の重なった部分を融着している。マットの表面のみの融着は地盤の流動や衝撃によって重ね合わせたマットの融着部分が剥がれやすい欠点があり、極めて信頼性が低く、吸出防止効果を期待できないことがある。【解決手段】湾曲形状に形成したピンの後端を渦状に巻き、先端を鋭角に尖らせて逆止歯を付け、逆止弁を内蔵したソケットに挿入して重ね合わせたシートを係止する。【選択図】      図１
2004275649.tif 000002
【特許請求の範囲】
【請求項１】
湾曲形状に形成したピンの後端を渦状に巻き、先端を鋭角に尖らせて逆止歯を付け、逆止弁を内蔵したソケットに挿入して重ね合わせたシートを係止することを特徴とするシート及びマット係止具。
【請求項２】
ソケットの逆止弁が左右の弁で形成されていることを特徴とする請求項１に記載のシート及びマット係止具。
【請求項３】
ソケットの逆止弁が十文字に切断された形状であることを特徴とする請求項１に記載のシート及びマット係止具。
【発明の詳細な説明】
【０００１】
【発明の属する技術分野】
本発明になるシート係止具は、重ね合わせたシート及びマットを重ね合わせた状態で固定するために使用される。
【０００２】
【従来の技術】
産業廃棄物処理場の工事、雨水貯留・浸透システム又は、湖、沼、河川、港湾の法面水底等に敷設するため吸出防止用マットとして肉厚の不織布が使用されている。この肉厚の不織布を広範囲に敷設するため、切断されたマットを重ね合わせて一体化するように固定する必要がある。そこで現在の固定技術として重ね合わせた２０ｃｍ幅程度のマットの間をトーチランプ又はライスターと称される熱風機で不織布の表面の繊維を溶かし、上下二枚の端の重なった部分を融着している。
【０００３】
【発明が解決しようとする課題】
従来の融着方法ではマットの表面のみの融着であるので、完全に重ね合わせた肉厚不織布マットを一体化していない。また、マットを融着する際に全体を溶接せず、部分的に溶接して融着することもあるので、接着力は弱まる。このように表面のみの融着は地盤の流動や衝撃によって重ね合わせたマットの融着部分が剥がれやすい欠点があり、極めて信頼性が低く、吸出防止効果を期待できないことがある。更に、トーチランプやライスターを使用しての融着であるので、作業技術が必要であり、作業時間を要し、費用も高くなる。そこで、本発明においては、作業技術を要せず、作業効率の高いシート及びマットに使用可能な係止具を提供しようとするものである。
【０００４】
【課題を解決するための手段】
産業廃棄物処理場の工事、雨水貯留・浸透システム又は、湖、沼、河川、港湾の法面水底等に敷設する工事においては、遮水シートを保護するため吸出シートを３層から５層に重ね合わせたり、肉厚の不織布マットを重ね合わせて使用している。保護シートやマットの重ね合わせ部分を固着する際に、遮水シートに傷を付けないことが条件になる。しかも、シートやマットの上部からシートやマットの下部に向かって作業しなければならない。
【０００５】
本発明によるシート及びマット係止具は、金属材のピンを湾曲形状に曲げ、後端を渦状に巻いて指で摘まみやすくすると共にピンの先端の方向を定める補助としている。ピンの先端は鋭角に尖らせていて、先端から根元に向かって刻み目を付けて逆止歯としている。このピンの先端を重ね合わせたシートやマットに上から突き刺し、ピンの湾曲形状に合わせてピンの進行を正確に上部のマットから下部のマットに突き刺し、更に下部のマットから上部のマットへピンの先端が戻るようにしている。
【０００６】
上部のマットへ突き出たピンの先端を固定するためにソケットを使用する。このソケットには、逆止弁が設けられている。逆止弁の形状は、左右の弁の中間にピンの通る穴を設けたものや、ソケットの内周に付着した十文字に切断された形状の弁の中央に針金の通る穴を設けたものが考えられる。このような機構を有するソケットへピンの先端を挿入すると、ピンの先端は弁の穴を通ってソケットの奥へ誘導されるが、ピンの先端に設けた逆止歯の作用によりソケットから抜けなくなる。
【０００７】
【発明の実施の形態】
本発明のシート及びマット係止具のピンは線径１．５ｍｍ以上の金属材を利用することが適当である。しかし、シートやマットが破損してもピンが破損することがない程に引っ張り強度を持続でき、上下の遮水シートを傷つけることがなく貫通する素材であれば金属材以外の素材でも利用できる。
【０００８】
【実施例】
実施例について、図面を参照して説明する。
図１はシート及びマット係止具を構成する部品の側面図である。湾曲形状のピン１の後端２は渦巻状に形成され、先端３は鋭角に尖っていて逆止歯４がピン１の上側に刻まれている。ピン１の下側は滑らかになっているためピン１をマットに差し込む際に抵抗が少なくなる。この先端３をソケット５に挿入すると、逆止歯４がソケット５内の逆止弁６に遮られてピン１がソケット５から抜けなくなる。
【０００９】
図２はシート及びマット係止具を構成する部品の側面図である。湾曲形状のピン１の後端２は渦巻状に形成され、先端３は鋭角に尖っていて逆止歯４がピン１の先端部全体に刻まれている。この先端３をソケット５に挿入すると、先端部全体の逆止歯４がソケット５内の逆止弁６に遮られてピン１がソケット５から抜けなくなる。
【００１０】
図３は一対の逆止弁６をソケット５の二か所に設けた状態を示す一実施例である。ソケット５は中央で開くことができ、ソケット５の内部を確認できるようにソケット５を開いた状態を示す側面図である。ソケット５の内部に上下一対になった逆止弁６が２カ所に設置され、中央部分でピン１の先端３が挿入されるように切り目７が設けられている。
【００１１】
図４はソケット５を閉じて断面にした際の、逆止弁６の状態を示す説明図である。２葉が一対になって逆止弁６を形成している。逆止弁６の中央にピン１が通過する穴８が開けられ、ピン１の先端３が逆止弁６を押して穴８を広げて通過した後、逆止弁６は自然に閉じるので、ピン１の先端３に刻まれた逆止歯４が逆止弁６に戻りを阻止されピン１はソケット５内に固定される。
【００１２】
図５は逆止弁６の考案を示す一実施例である。ソケット５を開いた状態の側面図を示している。ソケット５ははめ込み式に形成され、中央部分が膨らみ、十文字に切り目７の入った金属板９を両側の遮蔽板１０で挟んでいる状態を示している。遮蔽板１０と金属板９の中央にはピン１を通過させる穴８が開けられている。
【００１３】
図６はソケット５を閉じた際の逆止弁６の状態を示す説明図である。金属板９を十文字に切り目７を付け、中央を膨らませた形状の逆止弁６を利用しているのでピン１の先端３が逆止弁６を通過しやすくなる。
【００１４】
図７は重ね合わせた上部のマット１１と下部のマット１２にピン１を突き刺して、ソケット５をピン１の先端３に固定した状態を示す断面図である。ピン１は湾曲形状をしているので上部のマット１１から下部のマット１２へ向かって突き刺しても、ピン１の先端３は上部のマット１１と下部のマット１２を通過して上部のマット１１の表面へ戻ってくる。ピン１の先端３をソケット５へ挿入すると先端３はソケット５内に固定され、ピン１の後端２の渦巻形状部分と共に上部のマット１１下部のマット１２を刺した状態で保持できる。
【００１５】
【発明の効果】
産業廃棄物処理場の工事、雨水貯留・浸透システム又は、湖、沼、河川、港湾の法面水底等に敷設する工事において、遮水シートを保護するため吸出シートとして肉厚の不織布マットを重ね合わせて使用している。従来は、この重ね合わせ部分の固定が不完全であり、溶接作業に時間が掛かっているが、本発明のシート及びマット係止具を使用することで、重ね合わせ部分の固定が頑丈にでき、作業が容易になる。
【００１６】
本発明のシート及びマット係止具を使用しての作業には特殊作業能力を要しない。
【００１７】
作業コスト及び作業時間を減少することができる。
【図面の簡単な説明】
【図１】シート及びマット係止具を構成する部品の側面図である。
【図２】シート及びマット係止具を構成する部品の側面図である。
【図３】ソケットを開いた状態を示す側面図である。
【図４】逆止弁の状態を示す説明図である。
【図５】ソケットを開いた状態の側面図である。
【図６】逆止弁の状態を示す説明図である。
【図７】使用例を示す断面図である。
【符号の説明】
１  ピン
２  後端
３  先端
４  逆止歯
５  ソケット
６  逆止弁
７  切り目
８  穴
９  金属板
１０  遮蔽板
１１  上部のマット
１２  下部のマット
【図１】
2004275649.tif 000003
【図２】
2004275649.tif 000004
【図３】
2004275649.tif 000005
【図４】
2004275649.tif 000006
【図５】
2004275649.tif 000007
【図６】
2004275649.tif 000008
【図７】
2004275649.tif 000009